(57)【要約】      （修正有）【課題】生体に電気分極を発生させ、頻尿、便秘、創傷痛、筋肉痛や神経痛の症状を緩和することが可能な衣服類および寝具類を提供する。【解決手段】シャツや敷布などの衣服類または寝具類が、その一部分を（１）導電性高分子または／および炭素材料の塗膜と重ね合わせて複合化する事によって、または（２）炭素繊維糸、あるいは導電性高分子または／および炭素材料によって導電化された糸を用い導電性の織布とする事によって、これらの衣服類や寝具類が生体に接触した時に、導電性を付与された面と、その面と接触していない生体表面との間に１０〜１０００ｍＶの電位差が発生し、これによって頻尿、便秘、創傷痛、筋肉痛や神経痛の症状を緩和する。【選択図】図１
0003163539.tif 000002
【実用新案登録請求の範囲】
【請求項１】
日常生活に於いて生体と直接接触して用いる天然繊維または／および合成繊維からなる衣服類および寝具類が、その表面の一部分に於いて、導電性高分子または／および炭素材料によって含浸、塗布、捺染または印刷による塗膜を形成しており、この塗膜層が生体に接触した時に、生体と接触している塗膜層の表面と、塗膜層と接触していない生体表面との間に１０〜１０００ｍＶの電位差を生じる事を特徴とする分極性電極が組み込まれた衣服類または寝具類。
【請求項２】
日常生活に於いて生体と直接接触して用いる天然繊維または／および合成繊維からなる衣服類および寝具類が、その表面の一部分に於いて、炭素繊維糸、または、導電性高分子または／および炭素材料を配合または塗布して導電性を付与された繊維からなる糸を織り込んで導電性を付与された織布構造となっており、この導電性織布部分が生体に接触した時に、生体と接触している導電性織物部分の表面と、導電性織布部分と接触していない生体表面との間に１０〜１０００ｍＶの電位差を生じる事を特徴とする分極性電極が組み込まれた衣服類または寝具類。
【請求項３】
日常生活に於いて生体と直接接触して用いる天然繊維または／および合成繊維からなる衣服類および寝具類が、その表面の一部分に於いて、導電性高分子または／および炭素材料を配合、含浸、塗布、捺染、または印刷することによって導電性を付与された紙、織布、不織布、フエルト、高分子フイルムまたは発泡高分子シートを粘着剤、接着剤、面フアスナーまたは縫いつけなどの方法によって直接または間接的に重ね合わせて担持し、導電性を付与された面が生体に接触した時に、生体と接触している導電性の面と、導電性の面と接触していない生体表面との間に１０〜１０００ｍＶの電位差を生じる事を特徴とする分極性電極が組み込まれた衣服類または寝具類。
【請求項４】
請求項１、２および３記載の衣服類または寝具類が、靴下、パンツ、ショーツ、ランジエリー、シャツ、腹まき、サポーター、ブラジャー、枕、敷布または寝間着の何れかである分極性電極が組み込まれた衣服類または寝具類。
【考案の詳細な説明】
【技術分野】
【０００１】  本考案は、生体に接触した時に、生体内に電気分極を生じさせることが可能な衣服および寝具に関するもので、頻尿、便秘、筋肉や神経の痛みを緩和することを主目的とする用途に使用されるものである。
【背景技術】
【０００２】  生体に直流を通電して行う痛みの緩和治療は、電源として整流器を用いる方法、発電機を用いる方法、あるいは化学電池を用いる方法などがある。このような電気治療は、正電極と負電極を生体に配置し、その電極間に電気を流して生体を刺激して痛みなどを改善する事や、電気泳動現象を利用して薬物を生体内に送り込む事によって施行されている。またその治療装置も高価で有り一般に普及する事を阻んでいる。
このような点を改善するために、本考案者は、今まで体内に１０００ｍＶ以下の微弱な電界を形成可能な分極性陽電極を提案してきた。しかしこれらの電極は、腹部、首部、腰部および胸部などの場所に適用する事は、電極の構成が複雑で身体に接触して取り付けるのが面倒であるという欠点があり、普及の妨げとなっていた。
【先行技術文献】
【特許文献】
【０００３】
【特許文献１】特開  ２００８−２２６８３４  化学電池および電位差の発生方法
【特許文献２】実登  ３１４５３９９  沿面上に電界を形成させるための発電素子
【非特許文献】
【０００４】
【非特許文献１】直流電流通電治療機器メーカー、シンノオル社、エルホト社、トリカーブロ社、カブラキ医療商事、良導絡研究所などのホームページ
【考案の概要】
【考案が解決しようとする課題】
【０００５】  分極性電極機能を備えた靴下、パンツ、ショーツ、ランジエリー、シャツ、腹まき、サポーター、枕、敷布または寝間着などの衣服類および寝具類を開発する。
【課題を解決するための手段】
【０００６】  本考案の第一の課題を解決するための手段は、靴下、パンツ、ショーツ、ランジエリー、シャツ、腹まき、サポーター、ブラジャー、枕、敷布または寝間着などの日常生活に於いて生体と直接接触して用いる天然繊維または／および合成繊維からなる衣服類および寝具類が、その表面の一部分に於いて、導電性高分子または／および炭素材料によって含浸、塗布、捺染、または印刷による塗膜を形成しており、この塗膜層が生体に接触した時に、生体と接触している塗膜層の表面と、塗膜層と接触していない生体表面との間に１０〜１０００ｍＶの電位差を生じる事を特徴とする分極性電極が組み込まれた衣服類および寝具類である。【０００７】  分極性電極となる塗膜は、縦１〜５ｃｍ、幅１〜１５ｃｍの大きさで、足裏、脚部、肩中央部、尾てい骨部、胸部、腹部、腕部、首部、顔面、後頭部付近の痛みを感じる場所に１個以上設ける。頻尿および便秘には、尾てい骨付近または下腹部に１個設ける。その他、患者の個人的に気がかりな場所に設ける事になる。【０００８】  導電性高分子はポリアニリン、ポリアセチレン、ポリパラフエニレン、ポリチオフェンおよびポリピロールの水溶液または水分散液が使用可能である。この中でも、ポリチオフェン、ポリピロールが淡色で入手しやすく、好ましい。【０００９】  炭素材料は、粉末状のグラッシーカーボン、カーボンブラック、ケッチェンブラック、黒鉛、活性炭、竹炭および木炭などが使用可能である。これらの中では、カーボンブラック、ケッチェンブラックが入手しやすく分極性も安定しており好ましい。粉末状の炭素材料は、親水性のアクリル樹脂などと混合して塗料としたものが用いられる。炭素材料と樹脂の混合比は、重量比で５〜４０対１００の間が好ましい。４０部以上となると塗布作業が困難となる。５部以下では、分極電位が低くなり、不十分になる。またこの比率は炭素材料の種類によっても変わる。ケッチェンブラックは１０〜２０部と低い比率で目的の分極電位が得られる。電気抵抗の観点から分極性電極として適用可能なものは、０．０１〜１０ｋΩ／ｃｍの一部の半導体を含む導体が該当することが判明しており、今後の研究によってこの値は範囲をさらに拡大する可能性がある。
塗膜の塗布量は、５〜１５０ｇ／ｍ２、塗膜厚さは２ｍｍ以下程度が着用時の違和感が少なく好ましい。塗膜の形態は、全面塗りのほか、ドット模様塗り、線状模様塗りなど多様な模様の形態が可能である。【００１０】  本考案の第二の課題を解決するための手段は、靴下、パンツ、ショーツ、ランジエリー、シャツ、腹まき、サポーター、ブラジャー、枕、敷布または寝間着などの日常生活に於いて生体と直接接触して用いる天然繊維または／および合成繊維からなる衣服類および寝具類が、その表面の一部分に於いて、炭素繊維糸、または、導電性高分子または／および炭素材料を配合または塗布して導電性を付与された繊維からなる糸を織り込んで導電性を付与された織布構造となっており、この導電性織物部分が生体に接触した時に、生体と接触している導電性織物部分の表面と、導電性織物部分と接触していない生体表面との間に１０〜１０００ｍＶの電位差を生じる事を特徴とする分極性電極が組み込まれた衣服類または寝具類である。【００１１】  炭素繊維は、紡糸が難しく、入手しにくい欠点がある。ピッチ系の撚り糸が市販され、現状ではこれを使用できるが、将来はアクリル系炭素繊維製の糸も製造されるものと思われる。何れの炭素繊維も分極性に優れており使用可能である。
導電性高分子は、塗布による場合は、前記第一の課題を解決するための手段で述べた高分子をそのまま第二の課題を解決するための手段に於いても使用可能である。導電性高分子を繊維内に配合する場合は、導電性高分子は無溶剤の状態でナイロン、アクリル、ポリエステルなどの合成樹脂と繊維化の工程前に於いて混練してから繊維化の工程に送る事になる。その配合比は、合成樹脂および導電性高分子の品種および銘柄によって異なるので事前に検討することが必要である。
炭素材料としては、カーボンブラック系またはケッチェンブラック系のものが好ましい。配合する場合は、上記導電性高分子の場合に準ずる。塗布の場合は炭素材料塗料に糸を含浸後、ローラーで余計な塗料を絞り乾燥したものが使用される。塗布条件および乾燥条件は、塗料の銘柄によって最適な条件とする必要がある。この条件は、塗料メーカーの推薦する方法に従って使用前にテストして個々に決める事になる。塗布される糸は、ナイロン、アクリル、ポリエステルおよび木綿糸が主として使用される。
木綿の場合は、導電性高分子または炭素材料を塗料化したのち塗布する事によって導電化を図る事になり、繊維内部に配合されて用いられる事はない。【００１２】  炭素繊維糸または、導電性高分子または／および炭素材料を配合または塗布した糸で織られた導電性の織物は、（１）衣服類および寝具類の一部に直接織り込んである場合、（２）衣服類および寝具類の表面に直接、重ねた形で、積層状態に担持させる場合、（３）衣服類および寝具類を形成している織布の表面に非導電性の紙、織布や不織布を介して間接的に重ねた形で、積層状態に担持させる３種類の場合が可能である。衣服類および寝具類に直接または間接的に重ねて積層状態に担持させる事は、分極性電極となる部分を交換したり洗濯したりする時に都合がよい。上記（２）および（３）に於いて、直接的ならびに間接的に重ね合わせて、積層状態に担持する方法は、次項記載の第三の課題を解決するための手段に記載した方法と同様に粘着剤、接着剤、面フアスナー、または縫いつけなどによる。【００１３】  本考案の第三の課題を解決するための手段は、日常生活に於いて生体と直接接触して用いる天然繊維または／および合成繊維からなる衣服類および寝具類が、その表面の一部に於いて、導電性高分子または／および炭素材料を配合、含浸、塗布、捺染、または印刷する事によって導電性を付与された紙、織布、不織布、フエルト、高分子フイルムまたは発泡高分子シートを粘着剤、接着剤、面フアスナー、または縫いつけなどの方法によって直接または間接的に重ね合わせて担持し、導電性を付与された面が生体に接触した時に、生体と接触している導電性の面と、導電性の面と接していない生体表面との間に１０〜１０００ｍＶの電位差を生じる事を特徴とする分極性電極が組み込まれた衣服類または寝具類である。【００１４】  使用する導電性高分子および炭素材料は、前記第一の課題を解決するための手段にて用いたものと同じものが使用可能である。導電性を付与された紙、織布、不織布、フエルト、高分子フイルムまたは発泡高分子フイルムは、衣服類または寝具類の生体と接触する面に粘着剤、接着剤、面フアスナー、または縫いつけなどの方法によって直接取りつけるほか、前記第二の課題を解決するための手段と同じように非導電性の紙や織布などを介して、衣服類および寝具類に間接的に取りつける。【００１５】  本考案の実施に伴い、生体の分極によって生じた分極性電極と生体間の電位差は、例えば左手の指と電位差計のプラス端子を分極性電極に接触した状態で、マイナス端子を右手親指と人差し指間、足指間あるいは生体の任意の場所に接触させ、その時、電位差計の指示がほぼ安定した値となった時の電位の表示値を測定値とする。電位差計は、（株）エー・アンド・デイ社ＡＤ−５５２９を使用した。
【考案の効果】
【００１６】  本考案の実施により、図１に示したシャツの例では腰および肩付近のコリや痛みの症状を緩和するという効果がある。また頻尿は０ないし１回／夜、大便は１ないし３回／日と改善される。この大便の排泄改善の結果、ダイエット効果も副次的に生じさせる事が可能となる。靴下の例では、水虫が約１個月で完治でき、本分極性電極適用による副次的な効果として確認することが出来た。
電極も簡単な構造となり、患者が装着操作をすることなく、衣服や寝具製造会社に於いて衣服類や寝具類の製造時に装着することが可能となり、患者の負担が少なくなり初期の課題を達成できた。
【図面の簡単な説明】
【００１７】
【図１】ランニングシャツ内面の肩および尾てい骨部に取り付けられた分極性電極の説明図
【図２】敷布の腰部および枕の上面部に取り付けられた分極性電極の説明図
【考案を実施するための形態】
【００１８】  第一の課題を解決するための手段では、衣服類または寝具は、現在一般的に使われている繊維、例えばナイロン、アクリル、ポリエステルおよび木綿をそのまま使用する。
導電性高分子としてはポリチオフェンが透明性に優れており、最も適当な選択となる。例えば化研産業エノコート製ＢＰ−１０５、エノコートＨＣ−２０００、三協化成産業製ＣＬＥＶＩＯＳ，信越ポリマー製ＳＥＰＬＥＧＹＤＡなどの製品が使用に適している。炭素材料はカーボンブラックを用いた導電性塗料、例えば十条ケミカル製ＣＨ−１０が使用される。塗布方法は、シルクスクリーン印刷法で全面ベタ印刷が良い。塗布量は、固形分で１０〜３０ｇ／ｍ２が好ましい。この場合の分極性電極は生体間との間に３００〜４００ｍＶの電位差を発生させることが可能である。
【００１９】  第二の課題を解決するための手段では、例えば靴下を例に述べると、靴下に多く常用されているポリエステル繊維の糸を織り工程前に、前項記載の十条ケミカル製インキＣＨ−１０に含浸した後、ピンチロールで出来るだけ余分なインキを絞り落とし、約８０℃で２０分乾燥し織糸とした。樹脂の付着量は、糸に対し重量比で１００対３０〜９０部、好ましくは、５０〜６０部が適当である。この糸を用いて、足先部約３ｃｍ、足裏の中央土踏まず部横方向に幅約３ｃｍ、踵部約径４ｃｍの円形部分を横糸に導電処理糸を用いて靴下を織った。この靴下を着用した結果、導電処理糸を用いたところと生体間には２５０〜３５０ｍＶの分極性の電位差の発生が観測された。足裏の水虫も約１個月で全快した。
【００２０】  第三の課題を解決するための手段では、水洗糊抜きした手拭用の晒し木綿布に開明製布幟用の墨汁（帛書墨）を塗布し常温で５時間乾燥後、水洗し墨染め布とした。これを５×１０ｃｍの大きさに切断し、電極素材とした。これを下着用のランニングシャツの肩部と背中部中央最下部に木綿糸で横向きに仮縫いし固定した。この状態で着用したところ、生体と電極間には約３００ｍＶの電位差を観測できた。このシャツを着用した結果、肩の痛みおよび腰の痛みが着用後数分で消滅した。また夜間の尿回数が５回から１回以下になり、大便の排泄も毎日１〜２回起こるようになった。
【産業上の利用可能性】
【００２１】  本考案品によって、販売時、既に分極性電極を取り込まれた衣服類や寝具類を患者が購入可能となり、自己装着という煩雑な操作が必要無いので、今まで以上に利用が増えて産業が発展すると考えている。
【符号の説明】
【００２２】  １  肩部に取り付けられた分極性電極
２  ランニングシャツの内背面
３  シャツおよび敷布の腰部に取り付けられた分極性電極
４  枕カバーの上面に分極性電極を組み込んだ枕
５  敷布
６  足部
７  脛部
８  上半身および下半身
９  腕部
１０  頭部
１１  敷き布団
【図１】
0003163539.tif 000003
【図２】
0003163539.tif 000004